(57)【特許請求の範囲】
【請求項１】
互いに異なる機能を果たす複数の機能ブロックを含む携帯機器であって、データ通信ラインと電力供給ラインとを備えた接続ケーブルを介して情報処理装置が外部接続される接続インターフェースと、
上記情報処理装置との通信により当該情報処理装置から上記接続ケーブルを介して供給可能な電力量の確認を行なう電力量確認手段と、
上記情報処理装置から上記接続ケーブルを介して供給される電力を、上記電力量確認手段の確認結果に基づき上記複数の機能ブロックの全て又は一部の機能ブロックへ供給するように制御する電力供給制御手段とを備えたことを特徴とする携帯機器。
【請求項２】
上記電力供給制御手段は、上記各機能ブロックの消費電力が記憶された記憶手段と、この記憶手段に記憶された消費電力と上記電力量確認手段で確認された上記情報処理装置から上記接続ケーブルを介して供給可能な電力量とを比較して駆動可能な機能ブロックを判別する判別手段とを備え、上記判別手段の判別結果に基づき上記情報処理装置から上記接続ケーブルを介して供給される電力の上記複数の機能ブロックへの供給を制御するものであることを特徴とする請求項１記載の携帯機器。
【請求項３】
請求項１記載の携帯機器において、更に主電源として電池を備え、上記電力供給制御手段は、上記情報処理装置から上記接続ケーブルを介して供給可能な電力量では上記機能ブロックを駆動できないとき、上記電池から上記複数の機能ブロックに所要の電力を供給することを特徴とする携帯機器。
【請求項４】
請求項１〜３のいずれかに記載の携帯機器において、更に、上記情報処理装置から、該情報処理装置に接続されている機器の種類に関する情報を送信する命令が送られたとき、これに対して、電力が供給された機能ブロックにより達成される機能を備えた機器の種類について、上記情報処理装置に応答する応答手段を備えたことを特徴とする携帯機器。
【請求項５】
少なくとも撮影、撮影画像及び記録媒体に記録された画像の表示部への表示、情報処理装置から上記記録媒体へのデータ入出力及び上記情報処理装置との通信の各機能動作が可能なデジタルカメラであることを特徴とする請求項４記載の携帯機器。
【請求項６】
上記応答手段は、全ての機能動作が可能であるとき、情報処理装置に接続されている機器がデジタルカメラであることを上記情報処理装置に応答し、記録媒体へのデータ入出力の機能動作のみが可能であるとき、情報処理装置に接続されている機器が記録媒体へのデータ入出力の機能を備えた機器であることを上記情報処理装置に応答するものであることを特徴とする請求項５記載の携帯機器。
【請求項７】
上記接続インターフェースは、ＵＳＢインターフェースであることを特徴とする請求項１〜６のいずれかに記載の携帯機器。
【発明の詳細な説明】
【０００１】
【発明の属する技術分野】
本発明は、パーソナルコンピュータ等の情報処理装置を外部接続するための接続インターフェースを備えた、例えばデジタルカメラ等の携帯機器に関する。
【０００２】
【従来の技術】
近年、パーソナルコンピュータ（以下、パソコンという。）においては、処理の高速化に合わせて画像等の大量のデータを扱う高速のインターフェースが必要になり、ＩＥＥＥ（The Institute of Electrical and Electronic Engineers）１３４９やＵＳＢ（Universal Serial Bus）等の新しいシリアル通信規格が提案されている。
【０００３】
ＩＥＥＥ１３４９インターフェースは、パソコンだけではなくデジタルビデオ画像を扱う製品間やＬＡＮ（Local Area Network）などに利用可能な広い範囲をカバーし得る汎用インターフェースで、デジタルビデオカメラ等の家電製品で実用化が進んでいるものである。ＵＳＢインターフェースは従来、別々であったキーボード、マウス、プリンタ等の周辺機器のインターフェースを１つに纏め、パソコンと周辺機器との接続を簡単にするために提案されているものである。
【０００４】
ＵＳＢインターフェースは、現行のシリアル通信インターフェース規格であるＲＳ−２３２Ｃに比して１桁以上通信速度が速く、ノイズにも強いので、キーボードやマウス等の低速周辺機器の接続だけでなく、デジタルカメラ、プリンタ、イメージスキャナ等の高速周辺機器の接続も可能となっている。従って、最近ではＵＳＢインターフェースがパソコンと周辺機器との接続インターフェ−スとして標準化されつつある。
【０００５】
また、これら新規格のインターフェースは、データ通信用ラインのほかに２本の電力供給用ラインを有し、一方の装置（主装置）に接続された他方の装置（周辺装置）に主装置から電力を供給できるようになっているので、従来、独自に電源を持たず、主装置から接続インターフェースを介して駆動電力を受給するようにした周辺装置も提案されている。例えば特開平１０−２４３３２７号公報には、ＩＥＥＥ１３４９インターフェースを備え、外部接続されたプリンタからこのインターフェースを介して駆動電源を受給できるようしたデジタル撮像装置が提案されている。
【０００６】
【発明が解決しようとする課題】
ところで、ＵＳＢインターフェース等のパソコンから電力供給可能な接続インターフェースを備えたデジタルカメラ等の携帯機器は、主電源として電池を備えているが、電池の消耗を抑えたり、ＡＣアダプタを別途接続する煩わしさを回避したり、接続インターフェースの電力供給機能を有効に活用することなどを考慮すると、接続インターフェースを介してパソコンに接続され、その周辺機器として動作させる場合はパソコンとの通信制御に基づき当該パソコンから電力供給を受けられることが望ましい。
【０００７】
しかし、パソコンから電力供給を受ける際、上記従来のデジタル撮像装置のように全駆動電力をパソコンに依存する構成にすると、ＵＳＢインターフェース等で供給可能な電力は限られているので、実質的に適用可能な機器は消費電力の小さい機器に限られ、接続インターフェースの電力供給機能を有効に活用することは困難である。また、給電可能な接続インターフェースを介して複数の周辺機器がパソコンに接続される場合はパソコンから供給可能な電力が各周辺機器に分配されるので、システムの構成によっては各周辺機器がパソコンから接続インターフェースを介して給電される電力では駆動できない場合もある。
【０００８】
その一方、携帯機器には、撮影機能、画像の表示機能、画像の記録及び読出機能等の機能を備えたデジタルカメラのように、複数の互いに異なる機能を果たす機能ブロックを備え、各機能動作を独立に行なわせることのできる機器がある。例えばデジタルカメラはパソコンに対して撮像装置として機能したり、カメラに装着された記録媒体へのデータ入出力機器として機能することができるので、パソコンからの供給電力ですべての機能を動作させることはできなくても、パソコンからの供給電力を一部の機能ブロックに給電して一部の機能を果たす機器として動作させることができれば、接続インターフェースの電力供給機能をより有効に活用することができ、電池消耗もできる限り抑制できて便利である。
【０００９】
本発明は、上記課題及び背景に鑑みてなされたものであり、ＵＳＢインターフェース等のパソコンから給電可能な接続インターフェースを備え、その給電機能を有効に活用することのできる携帯機器を提供するものである。
【００１０】
【課題を解決するための手段】
請求項１記載の発明は、互いに異なる機能を果たす複数の機能ブロックを含む携帯機器であって、データ通信ラインと電力供給ラインとを備えた接続ケーブルを介して情報処理装置が外部接続される接続インターフェースと、上記情報処理装置との通信により当該情報処理装置から上記接続ケーブルを介して供給可能な電力量の確認を行なう電力量確認手段と、上記情報処理装置から上記接続ケーブルを介して供給される電力を、上記電力量確認手段の確認結果に基づき上記複数の機能ブロックの全て又は一部の機能ブロックへ供給するように制御する電力供給制御手段とを備えたものである。
【００１１】
上記構成によれば、携帯機器に接続ケーブルを介して情報処理装置が接続されると、携帯機器と情報処理装置との間で当該情報処理装置から当該携帯機器に供給可能な電力量の確認が行なわれ、その確認結果に基づいて情報処理装置から供給される電力が携帯機器の所定の機能ブロックに供給され、その機能ブロックに対応する機能動作が可能になる。
【００１２】
請求項２記載の発明は、上記携帯機器において、上記電力供給制御手段は、上記各機能ブロックの消費電力が記憶された記憶手段と、この記憶手段に記憶された消費電力と上記電力量確認手段で確認された上記情報処理装置から上記接続ケーブルを介して供給可能な電力量とを比較して駆動可能な機能ブロックを判別する判別手段とを備え、上記判別手段の判別結果に基づき上記情報処理装置から上記接続ケーブルを介して供給される電力の上記複数の機能ブロックへの供給を制御するものである。
【００１３】
上記構成によれば、情報処理装置から供給される電力は、供給可能な電力量と各機能ブロックの消費電力とを比較して駆動可能と判別された所定の機能ブロックに供給される。
【００１４】
請求項３記載の発明は、請求項１記載の携帯機器において、更に主電源として電池を備え、上記電力供給制御手段は、上記情報処理装置から上記接続ケーブルを介して供給可能な電力量では上記機能ブロックを駆動できないとき、上記電池から上記複数の機能ブロックに所要の電力を供給するものである。
【００１５】
上記構成によれば、供給可能な電力量が何れの機能ブロックも駆動できないときは、電池から全ての機能ブロックに駆動電力が供給される。
【００１６】
請求項４記載の発明は、請求項１〜３のいずれかに記載の携帯機器において、更に、上記情報処理装置から、該情報処理装置に接続されている機器の種類に関する情報を送信する命令が送られたとき、これに対して、電力が供給された機能ブロックにより達成される機能を備えた機器の種類について、上記情報処理装置に応答する応答手段を備えたものである。
【００１７】
上記構成によれば、情報処理装置から機器の種類に関する情報の送信命令があると、これに対して電力供給された機能ブロックにより達成される機能を備えた機器の種類が情報処理装置に返送される。これにより情報処理装置では携帯機器の機能動作に対応した適切な通信処理が可能となる。
【００１８】
請求項５記載の発明は、請求項４記載の携帯機器を、少なくとも撮影、撮影画像及び記録媒体に記録された画像の表示部への表示、情報処理装置から上記記録媒体へのデータ入出力及び上記情報処理装置との通信の各機能動作が可能なデジタルカメラとしたものである。
【００１９】
なお、請求項５記載の携帯機器において、上記応答手段は、全ての機能動作が可能であるとき、情報処理装置に接続されている機器がデジタルカメラであることを上記情報処理装置に応答し、記録媒体へのデータ入出力の機能動作のみが可能であるとき、情報処理装置に接続されている機器が記録媒体へのデータ入出力の機能を備えた機器であることを上記情報処理装置に応答するとよい（請求項６）。
【００２０】
請求項５又は６記載の発明によれば、デジタルカメラに接続ケーブルを介して情報処理装置が接続されると、情報処理装置との間でデジタルカメラに供給可能な電力量の確認が行なわれ、その確認結果に基づいて情報処理装置から供給される電力がデジタルカメラの所定の機能ブロックに供給される。これによりデジタルカメラはその機能ブロックに対応する機能動作、例えば撮影、撮影画像及び記録媒体に記録された画像の表示部への表示、情報処理装置から上記記録媒体へのデータ入出力もしくはこれら全ての機能動作が可能になる。
【００２１】
そして、情報処理装置から機器の種類に関する情報の送信命令があると、これに対してデジタルカメラから電力供給された機能ブロックにより達成される機能を備えた機器の種類が情報処理装置に返送される。例えば全ての機能動作が可能であるとき、情報処理装置に接続されている機器はデジタルカメラであるという情報が返送され、記録媒体へのデータ入出力の機能動作のみが可能であるとき、情報処理装置に接続されている機器は記録媒体へのデータ入出力機器であるという情報が返送される。これにより情報処理装置では接続されている機器をデジタルカメラと認識すると、この接続されている機器（デジタルカメラ）に対してカメラとして動作させる所定の通信処理（例えばリモート撮影し、その撮影画像を取り込む処理等）が行われ、この接続されている機器を記録媒体へのデータ入出力機器と認識すると、この接続されている機器に対して記録媒体へのデータ入出力機器として動作させる所定の通信処理（例えば記録媒体に記録された画像データを取り込む処理等）が行なわれる。
【００２２】
【発明の実施の形態】
本発明に係る携帯機器について、デジタルカメラを例に図を用いて説明する。
【００２３】
図１，図２は本発明に係るデジタルカメラの正面図である。図１は撮像部３を回転基準位置にセットした状態（撮像部３の光軸がカメラ本体部２の側面と平行になる状態）を示す図であり、図２は撮像部３を回転基準位置から９０°回転させた状態（撮像部３の光軸がカメラ本体部２の側面に対して直交する状態）を示す図である。
【００２４】
また、図３，図４，図５はそれぞれ同デジタルカメラの上面図，背面図，底面図（いずれも撮像部３を回転基準位置にセットした状態）であり、図６は同デジタルカメラの撮像部の内部構成を示す概略図である。
【００２５】
図１〜図５に示すように、デジタルカメラ１は基本的には箱型のカメラ本体部２と直方体状の撮像部３とから構成されている。撮像部３は正面から見てカメラ本体部２の右側面に着脱可能、かつ、この右側面と平行な面内に回動可能に装着されている。
【００２６】
撮像部３は、図６に示すように、マクロズームレンズからなる撮影レンズ及びＣＣＤ（光電変換素子の一例）からなる撮像装置を有し、被写体の光学像を電気信号からなる画像（ＣＣＤの各画素で光電変換された電荷信号により構成される画像）に変換して取り込むものである。撮像部３の内部には、図６に示すように、マクロズームレンズ３０１が配設され、このマクロズームレンズ３０１の後方位置の適所にＣＣＤ３０３と撮像回路３０２とが設けられている。また、撮像部３の前端面の適所にフラッシュ光の被写体からの反射光を受光する調光センサ３０５が設けられ、その後方位置に調光回路３０４が設けられている。
【００２７】
一方、カメラ本体部２はＬＣＤ（Liquid Crystal Display）からなる表示部１０、ＩＣカード１８の装着部１７及び図略のパソコンとの接続を行なうＵＳＢ（汎用シリアルバス）ケーブルが装着されるＵＳＢ接続端子１３等を有し、主として撮像部３で取り込まれた画像信号に所定の信号処理を施した後、ＬＣＤ表示部１０への表示、ＩＣカード１８への記録、パソコンへの転送等の処理を行なうものである。
【００２８】
カメラ本体部２の前面には、図１，図２に示すように、左端部の適所にグリップ部４が設けられ、右端部の上部適所に内蔵フラッシュ５が設けられている。また、カメラ本体部２の右側面の上部にＵＳＢ接続端子１３が設けられ、その下部にＩＣカード１８の装着部１７が設けられている。なお、ＵＳＢ接続端子１３とＩＣカード１８の装着部１７は撮像部３を回転基準位置にすると、撮像部３の裏面に隠れて保護されるが、撮像部３を回転基準位置から９０°回転させると（撮影可能状態にすると）、外部に現れてＵＳＢケーブルの接続やＩＣカード１８の装着脱ができるようになっている。従って、ＵＳＢケーブルを介してパソコンを接続した状態でも撮影が可能であり、その撮影画像をＵＳＢケーブルを介してパソコンに直接転送することもできる。
【００２９】
カメラ本体部２における撮像部３と反対側の側面上部には、図略のＡＣアダプタ電源を接続するための入力端子１６が設けられている。また、カメラ本体部２の上面には、図３に示すように、略中央に記録画像を再生する際のコマ送り用のスイッチ６，７が設けられている。スイッチ６は記録画像をコマ番号が増大する方向（撮影順の方向）にコマ送りするためのスイッチ（以下、ＵＰスイッチという。）であり、スイッチ７は記録画像をコマ番号が減少する方向にコマ送りするためのスイッチ（以下、ＤＯＷＮスイッチという。）である。また、背面側からみてＤＯＷＮスイッチ７の左側にＩＣカード１８に記録された画像を消去するための消去スイッチ８が設けられ、ＵＰスイッチ６の右上にシャッタボタン９が設けられている。
【００３０】
カメラ本体部２の背面には、図４に示すように、左端部の略中央に撮影画像のモニタ表示（ビューファインダーに相当）及び記録画像の再生表示等を行なうためのＬＣＤ表示部１０が設けられている。また、ＬＣＤ表示部１０の上方位置にはフラッシュ発光に関するＦＬモード設定スイッチ１１と、電源を投入するための電源スイッチ１９と、ＬＣＤ表示部１０に表示される操作メニューを呼び出すための呼出スイッチ２０とが設けられ、ＬＣＤ表示部１０の下方位置にはＩＣカード１８に記録される画像データの圧縮率Ｋを切換設定するための圧縮率設定スイッチ１２が設けられている。ＦＬモード設定スイッチ１１、電源スイッチ１９、呼出スイッチ２０はいずれもプッシュスイッチからなり、圧縮率設定スイッチ１２は２接点のスライドスイッチからなる。なお、電源スイッチ１９を設ける代わりに、撮像部３を回転基準位置から正面方向に回動させることにより電源が自動的に入るようにしてもよい。
【００３１】
デジタルカメラ１には、フラッシュ発光に関するモードとして被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、ＦＬモード設定スイッチ１１を押す毎に「自動発光」、「強制発光」及び「発光禁止」の各モードがサイクリックに切り換わり、いずれかのモードが選択設定されるようになっている。また、デジタルカメラ１は１／８と１／２０の２種類の圧縮率Ｋが選択設定可能になされ、例えば圧縮率設定スイッチ１２を右にスライドすると、圧縮率Ｋ＝１／８が設定され、左にスライドすると、圧縮率Ｋ＝１／２０が設定される。
【００３２】
更に、カメラ本体部２の背面の右端上部には、「撮影モード」、「再生モード」及び「ＰＣモード」を切換設定するモード設定スイッチ１４が設けられている。撮影モードは写真撮影を行なうモードであり、再生モードはＩＣカード１８に記録された撮影画像をＬＣＤ表示部１０に再生表示するモードであり、ＰＣモードは外部接続されたパソコンとの間でデータ通信を行なうモードである。モード設定スイッチ１４は３接点のスライドスイッチからなり、例えば右にスライドすると、撮影モードが設定され、中央にスライドすると、再生モードが設定され、左にスライドすると、ＰＣモードが設定される。
【００３３】
カメラ本体部２の底面には、図５に示すように、電源電池Ｅの電池装填室１５ａが設けられ、電池装填室１５ａの装填口は、図２に示すようにクラムシェルタイプの蓋１５により閉塞されるようになっている。本実施形態におけるデジタルカメラ１では４本の単三形乾電池を直列接続してなる内蔵電池Ｅをカメラ駆動用の電源としている。
【００３４】
上記のように、本実施形態に係るデジタルカメラ１は基本的に内蔵電池Ｅもしくは入力端子１６に接続されたＡＣアダプタ電源からカメラの全ての機能（撮影、撮影画像もしくは記録画像のＬＣＤ表示部１０への表示、画像データのＩＣカード１８への記録、画像データのパソコンへの転送等の機能）を行なうための駆動電源を得るようになっている。この場合、内蔵電池ＥとＡＣアダプタ電源とが同時に電源供給可能になっているときは、ＡＣアダプタ電源を優先し、内蔵電池Ｅの電力消費を抑えるようになっている。
【００３５】
更に、本実施形態に係るデジタルカメラ１はＵＳＢ接続端子１３にＵＳＢケーブルを介して図略のパソコンが接続されている場合は当該ＵＳＢケーブルを介してパソコンから供給される電力を利用してデジタルカメラ１の全ての機能もしくは一部の機能を動作させることができるようになっている。
【００３６】
ＵＳＢ規格は上述したようにシリアル通信方式の規格で、図７に示すように、２本のデータ通信用ラインの他に２本の電力供給用ライン（＋５，ＧＮＤ）を有している。従って、デジタルカメラ１にＵＳＢケーブルを介してパソコンが接続されると、デジタルカメラ１は当該パソコンからＵＳＢケーブルを介して電力を受給することができる。
【００３７】
しかし、パソコンからＵＳＢケーブルを介してデジタルカメラ１に供給できる電流は１００ｍＡ（０．５Ｗ）以下に限られているため、デジタルカメラ１を駆動できる機能はその供給電力の範囲内に限られる。従って、ＡＣアダプタ電源が入力端子１６に接続されている場合は、ＡＣアダプタ電源では常に安定してデジタルカメラ１の全ての機能を動作させることができるので、パソコンからの供給電力に優先してＡＣアダプタ電源によりデジタルカメラ１は駆動される。
【００３８】
なお、ＵＳＢケーブルによる供給電源を利用したデジタルカメラ１の駆動制御については後述する。
【００３９】
図８はデジタルカメラの制御系を示すブロック図である。同図において、図１〜図６に示した部材と同一部材には同一の番号を付している。また、図８において、２００番台の番号を付した部材はカメラ本体部２内に設けられ、３００番台の番号を付した部材は撮像部３に設けられている。
【００４０】
撮像部３内のマクロズームレンズ３０１には開口量が固定された絞り部材（固定絞り）が設けられている。ＣＣＤ３０３はＣＣＤカラーエリアセンサからなる撮像素子で、マクロズームレンズ３０１により結像された被写体の光像をＲ（赤），Ｇ（緑），Ｂ（青）の各色成分の画像信号（各画素で受光された画素信号の信号列からなる信号）に光電変換して出力する。撮像部３における露出制御は絞りが固定絞りとなっているので、ＣＣＤ３０３の露光量、すなわち、シャッタスピードに相当するＣＣＤ３０３の電荷蓄積時間を調節して行なわれる。
【００４１】
調光回路３０４はフラッシュ撮影における内蔵フラッシュ５の発光量を制御部２１５により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４はカメラ本体部２内に設けられたＦＬ制御回路２０１に発光停止信号を出力する。
【００４２】
信号処理回路３０６及びタイミングジェネレータ３０７は撮像回路３０２の構成要素である。信号処理回路３０６はＣＣＤ３０３から出力される画像信号（アナログ信号）に所定のアナログ信号処理を施すものである。信号処理回路３０６はＣＤＳ（相関二重サンプリング）回路とＡＧＣ（オートゲインコントロール）回路とを有し、ＣＤＳ回路により画像信号のノイズの低減を行ない、ＡＧＣ回路により画像信号のレベル調整を行なう。なお、ＡＧＣ回路のゲインは制御部２１５により自動設定される。
【００４３】
タイミングジェネレータ３０７はＣＣＤ３０３の駆動を制御するための各種のタイミングパルスを生成するものである。タイミングジェネレータ３０７はカメラ本体部２から送信される基準クロックに基づきＣＣＤ３０３の駆動制御信号を生成する。すなわち、カメラ本体部２内には基準クロックを発生するタイミング制御回路２０２が設けられ、タイミングジェネレータ３０７はこのタイミング制御回路２０２から送信された基準クロックを用いて、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００４４】
カメラ本体部２内において、ＦＬ制御回路２０１は内蔵フラッシュ５の発光を制御する回路である。ＦＬ制御回路２０１は制御部２１５からの制御信号に基づき内蔵フラッシュ５の発光の有無、発光量及び発光タイミング等を制御し、調光回路３０４から入力される発光停止信号に基づき内蔵フラッシュ５の発光を停止することでその発光量を制御する。
【００４５】
タイミング制御回路２０２はＣＣＤ３０３の撮像動作及びＡ／Ｄ変換回路２０３の信号処理を行なうための基準クロックやＡ／Ｄ変換用のクロックを発生するものである。
【００４６】
Ａ／Ｄ変換回路２０３は信号処理回路３０６から出力される画像信号の各画素信号を１０ビットのデジタル信号に変換するものである。Ａ／Ｄ変換回路２０３はタイミング制御回路２０２から送信されるＡ／Ｄ変換用のクロックに基づいて各画素信号（アナログ信号）を１０ビットのデジタル信号に変換する。
【００４７】
黒レベル補正回路２０４はＡ／Ｄ変換された画素信号（以下、画素データという。）の黒レベルを基準の黒レベルに補正するものである。また、ＷＢ回路２０５はγ補正後にホワイトバランスも合わせて調整されるように、Ｒ，Ｇ，Ｂの各色成分の画素データのレベル変換を行なうものである。
【００４８】
γ補正回路２０６は画素データのγ特性を補正するものである。γ補正回路２０６はγ特性の異なる複数のγ補正テーブルを有し、撮影シーンや撮影条件に応じて所定のγ補正テーブルにより画素データのγ補正を行なう。なお、Ｒ，Ｇ，Ｂの各色成分の画素データはＷＢ回路２０５で所定のレベル変換が行なわれており、これらの画素データをそれぞれγ補正テーブルでγ補正することによりγ補正とＷＢ調整とが同時に行なわれる。
【００４９】
画像メモリ２０７はγ補正回路２０６から出力される画素データを記憶するメモリである。画像メモリ２０７は１フレーム分の記憶容量を有している。すなわち、画像メモリ２０７はＣＣＤ３０３がｎ行ｍ列の画素を有している場合、ｎ×ｍ画素分の画素データの記憶容量を有し、各画素データが対応する画素位置に記憶されるようになっている。
【００５０】
画像メモリ２０８はＬＣＤ表示部１０に再生表示される画素データのバッファメモリである。画像メモリ２０８はＬＣＤ表示部１０の画素数に対応した画素データの記憶容量を有している。
【００５１】
撮影待機状態においては、撮像部３により１／３０（秒）毎に撮像された画像の各画素データがＡ／Ｄ変換回路２０３〜γ補正回路２０６により所定の信号処理を施された後、画像メモリ２０７に記憶されるとともに、制御部２１５を介して画像メモリ２０８に転送され、ＬＣＤ表示部１０に表示される。これにより撮影者はＬＣＤ表示部１０に表示された画像により被写体像を視認することができる。また、再生モードにおいては、ＩＣカード１８から読み出された画像が制御部２１５で所定の信号処理が施された後、画像メモリ２０８に転送され、ＬＣＤ表示部１０に再生表示される。
【００５２】
操作部２０９は制御部２１５に上述したＵＰスイッチ６、ＤＯＷＮスイッチ７、消去スイッチ８、シャッタボタン９、ＦＬモード設定スイッチ１１、圧縮率設定スイッチ１２、モード設定スイッチ１４、電源スイッチ１９及び呼出スイッチ２０等の操作情報を入力するものである。カードＩ／Ｆ２１０はＩＣカード１８への画像データの書込み及び画像データの読出しを行なうためのインターフェースである。ＲＴＣ２１１は撮影日時を管理するための時計回路である。ＲＴＣ２１１は図略の別電源により駆動される。
【００５３】
主電源２１２は各処理回路に駆動電力を供給するもので、内蔵電池Ｅ及びＡＣアダプタ電源に相当している。通信用Ｉ／Ｆ２１３はパソコン２１を通信可能に外部接続するためのＵＳＢ規格に準拠したインターフェースである。これに対応してパソコン２１の本体前面には、図１１に示すように、ＵＳＢ接続コネクタ２２が設けられている。なお、パソコン２１は通信用Ｉ／Ｆ２１３及びＵＳＢケーブルを介して接続される情報処理装置である。
【００５４】
電源制御回路２１４は制御部２１５からの制御信号に基づき主電源２１２又はＵＳＢケーブルを介してパソコン２１から供給される電源（以下、ＵＳＢ供給電源という。）から所要の駆動電源を生成して上述した各処理回路に供給するものである。電源供給は上述した複数の処理回路を複数の互いに異なる機能を果たす機能ブロックの構成回路として分割し、機能ブロック単位で行われる。
【００５５】
本実施形態に係るデジタルカメラ１では、制御系を構成する複数の処理回路が図８の点線で示すようにＡ〜Ｅの５つの機能ブロックに分割され、各機能ブロックＡ〜Ｅに電源制御回路２１４から必要に応じて所要の電源が生成されて供給される。
【００５６】
なお、機能ブロックＡは撮影機能を果たすブロックであり、撮像部３内のＣＣＤ３０３〜信号処理回路３０７及びカメラ本体部２内のＦＬ制御回路２０１〜γ補正回路２０６が含まれる。機能ブロックＢは撮影画像又はＩＣカード１８に記録された記録画像をＬＣＤ表示部１０に表示する機能を果たすブロックであり、画像メモリ２０８及びＬＣＤ表示部１０が含まれる。機能ブロックＣはパソコン２１とのデータ通信機能を果たすブロックであり、通信用Ｉ／Ｆ２１３が含まれる。機能ブロックＤはＩＣカード１８への画像の記録及び読出機能を果たすブロックであり、カードＩ／Ｆ２１０及びＩＣカード１８が含まれる。機能ブロックＥはデジタルカメラ１の全体動作を制御する機能を果たすブロックであり、機能ブロックＡ〜Ｄに含まれない操作部２０９及び制御部２１５等が含まれる。
【００５７】
制御部２１５はマイクロコンピュータからなり、上述した撮像部３内及びカメラ本体部２内の各処理回路の駆動を有機的に制御してデジタルカメラ１の動作を統括制御するものである。すなわち、制御部２１５は、撮影モードにおいて、シャッタボタン９により撮影が指示されると、撮影指示後に画像メモリ２０７に取り込まれた画像のサムネイル画像と圧縮率設定スイッチ１２で設定された圧縮率ＫでＪＰＥＧ方式により圧縮された圧縮画像とを生成し、撮影画像に関するタグ情報（コマ番号、露出値、シャッタスピード、圧縮率Ｋ、撮影日、撮影時フラッシュの使用・非使用のデータ等の情報）とともに両画像をＩＣカード１８に記憶する。ＩＣカード１８は、図１０に示すように、撮影画像が圧縮率１／２０で４０コマ分記憶可能になされており、各コマの記憶領域にはタグ情報とＪＰＥＧ方式で圧縮された高解像度の画像データ（例えば１２８０×１０２４画素）とサムネイル表示用の画像データ（例えば１６０×１２０画素）とが記録される。
【００５８】
また、制御部２１５は電源制御回路２１４による機能ブロックＡ〜Ｅへの電源供給の制御も行なう。特にＵＳＢ供給電源を利用して各機能ブロックＡ〜Ｅに電源供給する場合は、所定の通信プログラムに従ってパソコン２１と交信し、その交信結果に基づいて電源供給制御を行なう。
【００５９】
図９は制御部２１５のＵＳＢ供給電源を用いた各機能ブロックＡ〜Ｅへの電源供給制御に関する主要な処理を機能ブロック図で表したものである。
【００６０】
同図において、ＰＣモード判別部２１５ａは動作モードとして「ＰＣモード」が設定されているか否かを判別するものである。接続電源判別部２１５ｂは主電源２１２のセット状態（ＡＣアダプタ電源又は内蔵電池Ｅがセットされているか、何れもセットされていないか）を判断するものである。ＡＣアダプタ電源の有無は入力端子１６に電源が入力されているか否かを検知することで判別される。同様に内蔵電池Ｅも電池装填室に設けられた電源端子に電源が出力されているかを検知することで判別される。
【００６１】
ケーブル接続判別部２１５ｃはデジタルカメラ１のＵＳＢ接続端子１３にＵＳＢケーブルが接続されているか否かを判別するものである。なお、ＵＳＢ接続端子１３には図略のスイッチが備えられており、ＵＳＢ接続端子１３にＵＳＢケーブルのコネクタが挿入装着されると、このスイッチがオンとなってＵＳＢケーブルの接続状態を検出することができるようになっている。
【００６２】
配電ブロック判別部２１５ｄはＵＳＢ供給電源の供給可能な電力量で駆動可能な機能ブロックを判断するものである。上述したようにＵＳＢ供給電源はパソコン２１にＵＳＢケーブルを介して接続されている周辺機器の数や種類によって各周辺機器に供給される電力量が異なるので、デジタルカメラ１にＵＳＢケーブルを介してパソコン２１が接続された時点でのパソコン２１から供給可能な電力量でデジタルカメラ１内のいずれの機能ブロックが駆動できるかを配電ブロック判別部２１５ｄで判別するものである。
【００６３】
メモリ２１５ｅは各機能ブロックＡ〜Ｅの消費電力を記憶するものである。メモリ２１５ｅに記憶された消費電力は配電ブロック判別部２１５ｅにおけるパソコン２１から供給可能な電力量で駆動可能な機能ブロックを判別する処理に利用される。
【００６４】
メッセージ部２１５ｆはパソコン２１からの接続機器の種類についての問い合わせに対する応答メッセージやデジタルカメラ１が電源不良（電源がないか、電力不足）により動作できないときにパソコン２１へのエラーメッセージを出力するものである。
【００６５】
電源制御部２１５ｇは電源スイッチ１９により電源が投入されたときのカメラ起動時の電源供給を統括制御するものである。電源制御部２１５ｇはＰＣモード判別部２１５ａ〜メッセージ部２１５ｆの各部の動作を制御してカメラ起動時の電源供給制御を行なう。具体的には、後述するように電源が主電源２１２かＵＳＢ供給電源かによって電源を供給すべき機能ブロック（すなわち、起動させる機能）を制御する。
【００６６】
次に、図１２のフローチャートを用いて、デジタルカメラ１の起動時の電源供給制御について説明する。
【００６７】
図１２において、電源スイッチ１９の操作によりデジタルカメラ１の電源が投入されると（ステップＳ１０１）、まず、動作モードが「ＰＣモード」に設定されているか否かが判別される（ステップＳ１０２）。動作モードが「撮影モード」もしくは「再生モード」に設定されていれば（ステップＳ１０２でＮｏ）、図略の設定された動作モードに対応する撮影及び撮影画像の記録処理、記録画像の再生等の処理に移行する。
【００６８】
一方、ＰＣモードが設定されていると（ステップＳ１０２でＹｅｓ）、電源制御回路２１２を通じてＡＣアダプタ電源の接続の有無、内蔵電池Ｅの有無、内蔵電池Ｅが装填されている場合はその残容量などが確認される（ステップＳ１０３）。
【００６９】
そして、入力端子１６にＡＣアダプタ電源が接続されていると判別されると（ステップＳ１０３でＹｅｓ）、電源制御回路２１２でＡＣアダプタ電源から機能ブロックＡ〜Ｅに対する所要の電源が生成され、それぞれ各機能ブロック内の処理回路に供給されてデジタルカメラ１が起動される（ステップＳ１０４）。一方、内蔵電池Ｅのみが装填されていると判別されたときは（ステップＳ１０３でＮｏ）、電源制御回路２１２で内蔵電池Ｅから機能ブロックＣ，Ｅに対する所要の電源が生成され、それぞれ各機能ブロック内の処理回路に供給されてデジタルカメラ１の通信機能のみが起動される（ステップＳ１０５）。このように通信機能のみを起動するのは、ＰＣモードにおいて電源投入されたときは、当初はパソコン２１との通信処理のみが行われるので、処理の行われない回路への電源供給を禁止して内蔵電池Ｅの電力消費を抑えるためである。
【００７０】
なお、電源投入時にＡＣアダプタ電源も内蔵電池Ｅもカメラ本体部２にセットされていなければ、制御部２１５が起動しないので、本フローチャートの処理が行われることはない。
【００７１】
続いて、通信用Ｉ／Ｆ２１３が起動した後、ＵＳＢ接続端子１３にＵＳＢケーブルを介してパソコン２１が外部接続されているか否かが判別され（ステップＳ１０６）、パソコン２１が外部接続されていなければ、パソコン２１が外部接続されるまで待機状態なる（ステップＳ１０６のＮｏのループ）。そして、パソコン２１が外部接続されると（ステップＳ１０６でＹｅｓ）、電源制御回路２１２におけるブロックＣ，Ｅへの供給電源が内蔵電池ＥからＵＳＢ供給電源（パソコン２１からＵＳＢケーブル及び通信用Ｉ／Ｆ２１３を介して供給される電源）に切り換えられる（ステップＳ１０７）。
【００７２】
パソコン２１がＵＳＢケーブルを介してデジタルカメラ１に接続されると、ＵＳＢ接続端子１３の電源供給端子（＋５，ＧＮＤ）にパソコン２１から電源が供給され、デジタルカメラ１では電流１００ｍＡ以内でこの電源を利用できようになるから、電源を内蔵電池ＥからＵＳＢ供給電源に切り換えることで内蔵電池Ｅの電力消費を抑えるものである。なお、ブロックＣ，Ｅの消費電流は１００ｍＡ以下に設定されているので、パソコン２１がＵＳＢケーブルを介して接続されたとき、電源を内蔵電池ＥからＵＳＢ供給電源に切り換えても通信機能が損なわれることはない。
【００７３】
続いて、制御部２１５からパソコン２１に供給可能な電力量Ｗ（ＵＳＢ供給電源の電力量）の確認が行なわれる（ステップＳ１０８）。この確認は制御部２１５からパソコン２１に供給可能な電力量Ｗを問い合わせることにより行われる。パソコン２１はこの問い合わせに対してその時の他の周辺機器（外部記憶装置、スキャナ、プリンタ等）の接続状態からデジタルカメラ１に供給可能な電力量Ｗを算出し、デジタルカメラ１に返信するので、制御部２１はその返信内容から供給可能な電力量Ｗを確認することができる。
【００７４】
続いて、ＵＳＢ供給電源の供給電力量ＷがＩＣカード１８の記録画像を読み出してパソコン２１にする動作を行なうことができるものであるか否か（すなわち、機能ブロックＣ，Ｄ，Ｅ内の各処理回路を駆動できるか否か）が判別される（ステップＳ１０９）。この判別は、制御部２１５内のメモリ２１５ｇに各ブロックの消費電力が記憶されているので、パソコン２１から送信される供給可能な電力量Ｗと機能ブロックＣ，Ｄ，Ｅの消費電力の合計ＷＣ＋Ｄ＋Ｅとを比較することにより行われる。
【００７５】
供給可能な電力量Ｗが機能ブロックＣ，Ｄ，Ｅの消費電力の合計ＷＣ＋Ｄ＋Ｅ以下であれば（ステップＳ１０９でＮｏ）、主電源２１２として内蔵電池Ｅがカメラ本体部２にセットされているか否かが判別され（ステップＳ１１０）、内蔵電池Ｅがカメラ本体部２にセットされていなければ（ステップＳ１１０でＮｏ）、ＩＣカード１８に記録された画像のパソコン２１への転送動作を行なわせること（すなわち、パソコン２１に対してデジタルカメラ１をＩＣカード１８の読取器として動作させること）ができないので、デジタルカメラ１からパソコン２１にその旨のメッセージがエラーメッセージとして送信され（Ｓ１１２）、電源起動の処理を終了する。
【００７６】
なお、パソコン２１ではこのエラーメッセージを受け取ると、モニター上に電源不足によりデジタルカメラ１を起動することができないことが表示される。
【００７７】
一方、内蔵電池Ｅがカメラ本体部２にセットされていれば（ステップＳ１１０でＹｅｓ）、電源制御回路２１２における供給電源がＵＳＢ供給電源から内蔵電池Ｅに切り換えられ、内蔵電池Ｅから機能ブロックＣ，Ｄ，Ｅに対する所要の電源が生成され、それぞれ各機能ブロック内の処理回路に供給されて（すなわち、デジタルカメラ１の通信機能及び記録画像読取機能を動作可能にして）、電源起動の処理を終了し（ステップＳ１１１）、ステップＳ１１６に移行する。
【００７８】
ステップＳ１０９で供給可能な電力量Ｗが機能ブロックＣ，Ｄ，Ｅの消費電力の合計ＷＣ＋Ｄ＋Ｅを超えていれば（ステップＳ１０９でＹｅｓ）、電源制御回路２１２でＵＳＢ供給電源から機能ブロックＣ，Ｄ，Ｅに対する所要の電源が生成され、それぞれ各ブロック内の処理回路に供給される。
【００７９】
続いて、ＵＳＢ供給電源の供給可能な電力量Ｗが全ての機能ブロックＡ〜Ｅの消費電力の合計ＷＡ＋Ｂ＋Ｃ＋Ｄ＋Ｅを超えているか（すなわち、供給可能な電力量Ｗに機能ブロックＡ，Ｂを駆動できる余裕があるか）否かが判別され（ステップＳ１１４）、供給可能な電力量Ｗが機能ブロックＡ〜Ｅの消費電力の合計ＷＡ＋Ｂ＋Ｃ＋Ｄ＋Ｅを超えていれば（ステップＳ１１４でＹｅｓ）、電源制御回路２１２でＵＳＢ供給電源から更に機能ブロックＡ，Ｂに対する所要の電源が生成され、それぞれ各機能ブロック内の処理回路に供給されて（すなわち、デジタルカメラ１の撮影機能及び画像表示機能も動作可能にして）、電源起動の処理を終了し（ステップＳ１１５）、ステップＳ１１６に移行する。なお、ステップＳ１１３では機能ブロックＡ又は機能ブロックＢのいずれか一方にだけ電源を供給するようにしてもよい。
【００８０】
一方、供給可能な電力量Ｗが機能ブロックＡ〜Ｅの消費電力の合計ＷＡ＋Ｂ＋Ｃ＋Ｄ＋Ｅ以下であれば（ステップＳ１１４でＮｏ）、ステップＳ１１５の処理（ブロックＡ，Ｂへの電源供給処理）を行なうことなく電源起動の処理を終了し、ステップＳ１１６に移行する。
【００８１】
デジタルカメラ１が起動し、パソコン２１でデジタルカメラ１との接続が確認されると、パソコン２１からデジタルカメラ１に接続機器の種類を確認するコマンドが出力される。
【００８２】
ステップＳ１１６ではパソコン２１から機器の種類の問い合わせがあるか否かかが判別され、問い合わせがあると（ステップＳ１１６でＹｅｓ）、電源制御回路２１２から電源供給されている機能ブロックが確認され（ステップＳ１１７，Ｓ１１９）、全ての機能ブロックＡ〜Ｅに電源が供給されていると、すなわち、デジタルカメラ１がカメラとしての全ての機能を動作可能であると（ステップＳ１１７でＹｅｓ）、パソコン２１に「接続機器は撮影可能なデジタルカメラである」との情報が返信され（ステップＳ１１８）、機能ブロックＣ〜Ｅにのみ電源が供給されていると、すなわち、デジタルカメラ１がＩＣカード１８に記録された画像の読出機能の動作しかできない状態にあると（ステップＳ１１９でＹＥＳ）、パソコン２１に「接続機器はカードリーダである」との情報が返信され（ステップＳ１２０）、この後、パソコン２１からの命令待ちとなる（ステップＳ１２１）。そして、パソコン２１からの命令に基づいて所定の通信処理が行われる。
【００８３】
パソコン２１では、デジタルカメラ１からの応答に基づきＵＳＢケーブルを介して接続された機器の種類が認識され、それに基づいて所定のドライバソフトが起動され、そのドライバソフトを用いてデジタルカメラ１との通信処理が行われる。すなわち、パソコン２１でデジタルカメラ１が撮影可能なデジタルカメラとして認識されると、デジタルカメラを駆動するためのドライバソフトが起動され、操作者はパソコン２１からの操作でデジタルカメラ１を遠隔操作することができるようになる。例えば撮影を指示することによりデジタルカメラ１で撮影動作を行なわせ、更に画像データの転送を指示することによりデジタルカメラ１からその撮影画像のデータをパソコン２１に直接、転送させることができる。
【００８４】
また、パソコン２１でデジタルカメラ１がカードリーダとして認識されると、カードリーダのドライバソフトが起動され、操作者は通常のカードリーダをアクセスするのと同様の方法でデジタルカメラ１に装着されたＩＣカード１８から画像データを読み出すことができるようになる。すなわち、ＩＣカードに記録されたデータの読出しを指示すると、デジタルカメラ１でＩＣカード１８に記録された画像データの読出しが行なわれ、その画像データがパソコン２１内の所定のメモリに転送される。なお、デジタルカメラ１にパソコン２１から送信される画像データをＩＣカード１８に記録する機能が備えられている場合は、カートリーダとしてだけでなくカードライタとしても動作可能で、ＩＣカードへの画像データの記録を指示すると、その後にパソコン２１から送信される画像データが撮影画像と同様の扱いでＩＣカード１８に記録される。
【００８５】
なお、本実施の形態では、デジタルカメラ１をＵＳＢ供給電源で駆動する態様として「撮影可能なデジタルカメラ」と「カードリーダ」の２種類としていたが、「ＬＣＤ表示部１０への表示」を加えることもできる。このようにすると、デジタルカメラ１をパソコン２１に対して表示装置として機能させることも可能となる。
【００８６】
以上のように、本実施形態によれば、ＵＳＢ接続端子１３にＵＳＢケーブルを介してパソコン２１が接続される場合は、ＵＳＢケーブルを介してパソコン２１から供給される電源を利用し、当該供給電力量に応じて全ての機能ブロックもしくは一部の機能ブロックを駆動するようにしているので、ＵＳＢインターフェースの電源供給機能を有効に活用することができるとともに、内蔵電池Ｅがセットされている場合はその電力消費も抑えることができる。
【００８７】
また、パソコン２１からの接続機器の種類に関する確認に対して、電源供給制御に基づくカメラの動作可能な機能に関する情報を応答するようにしているので、パソコン２１ではデジタルカメラ１の一部の動作機能を利用する場合にも簡単かつ確実にその機能を利用した処理を行なうことができる。
【００８８】
なお、本実施形態では携帯機器としてデジタルカメラを例示したが、複数の互いに異なる機能を果たす機能ブロックからなり、パソコンに対してこれらの機能ブロックが果たす機能を独立に動作させることも可能な携帯機器、例えば携帯型パソコン等の機器についても本発明は適用可能である。
【００８９】
更に、本実施の形態では接続インターフェースとしてＵＳＢインターフェースを例示したが、他の電源供給可能なインターフェース、例えばＩＥＥＥ１３９４インタフェース等にも広く適用できるものである。
【００９０】
【発明の効果】
以上説明したように、請求項１の発明によれば、複数の互いに異なる機能を果たす機能ブロックからなり、電力供給可能な接続インターフェースを備えた携帯機器であって、接続インターフェースを介して接続された情報処理装置との通信によって当該情報処理装置から供給可能な電力量を確認し、その確認結果に基づいて情報処理装置から接続インターフェースを介して供給される電力の複数の機能ブロックへの供給を制御するようにしたので、接続インターフェースの電源供給機能を有効に活用することができる。
【００９１】
また、電池を備えているときは、情報処理装置から供給可能な電力量では機能ブロックを駆動できないとき、電池から各機能ブロックに所要の電力を供給するようにしたので、接続インターフェースの電源供給機能を有効に活用して主電源の電池の消耗も抑えることができる。
【００９２】
また、情報処理装置からの機器の種類に関する情報の送信命令に対して、電力を供給された機能ブロックにより達成される機能を備えた機器の種類を情報処理装置に応答するようにしたので、すなわち、例えばデジタルカメラの場合、全ての機能ブロックに電力供給されるときは、情報処理装置にデジタルカメラとして応答し、記録媒体へのデータ入出力の機能ブロックにのみ電力が供給されるときは、情報処理装置に記録媒体へのデータ入出力機器として応答するようにしたので、情報処理装置では接続インターフェースを介して接続されたデジタルカメラの実行可能な機能に対する処理を簡単かつ確実に行なうことができる。
【図面の簡単な説明】
【図１】  本発明に係るデジタルカメラの一実施形態を示すもので、撮像部を回転基準位置にセットした状態の正面図である。
【図２】  本発明に係るデジタルカメラの一実施形態を示すもので、撮像部を回転基準位置から９０°回転させた状態の正面図である。
【図３】  本発明に係るデジタルカメラの一実施形態を示すもので、撮像部を回転基準位置にセットした状態の上面図である。
【図４】  本発明に係るデジタルカメラの一実施形態を示すもので、撮像部を回転基準位置にセットした状態の背面図である。
【図５】  本発明に係るデジタルカメラの一実施形態を示すもので、撮像部を回転基準位置とした場合の底面図である。
【図６】  本発明に係るデジタルカメラの撮像部の内部構造を示す概略図である。
【図７】  ＵＳＢケーブルの構造を示す要部斜視図である。
【図８】  本発明に係るデジタルカメラの制御系を示すブロック図である。
【図９】  制御部のＵＳＢ供給電源を用いた各機能ブロックへの電源供制御に関する主要な処理を機能ブロックで表した図である。
【図１０】  ＩＣカード内のメモリマップを示す図である。
【図１１】  本発明に係るデジタルカメラにＵＳＢケーブルを介して接続されるパーソナルコンピュータの外観構成を示す図である。
【図１２】  本発明に係るデジタルカメラにＵＳＢケーブルを介してパソコンが接続されたときの電源供給制御を示すフローチャートである。
【符号の説明】
１  デジタルカメラ（携帯機器）
２  カメラ本体部
３  撮像部
９  シャッタボタン
１０  ＬＣＤ表示部
１３  ＵＳＢ接続端子
１５  蓋
１５ａ  電池装填室
１６  入力端子
１７  装着部
１８  ＩＣカード（記録媒体）
１９  電源スイッチ
２１  パーソナルコンピュータ（情報処理装置）
２２  ＵＳＢ接続コネクタ
２１２  主電源
２１３  通信用Ｉ／Ｆ（接続インターフェース、ＵＳＢインターフェース）
２１４  電源制御回路（電源供給制御手段）
２１５  制御部（電力量確認手段、電源供給制御手段、応答手段）
２１５ａ  ＰＣモード判別部
２１５ｂ  接続電源判別部
２１５ｃ  ケーブル接続判別部
２１５ｄ  配電ブロック判別部（判別手段）
２１５ｅ  メモリ（記憶手段）
２１５ｆ  メッセージ部
２１５ｇ  電源制御部（電源供給制御手段）
Ｅ  電池
【図１】
0003784589.tif 000002
【図２】
0003784589.tif 000003
【図３】
0003784589.tif 000004
【図４】
0003784589.tif 000005
【図５】
0003784589.tif 000006
【図６】
0003784589.tif 000007
【図７】
0003784589.tif 000008
【図８】
0003784589.tif 000009
【図９】
0003784589.tif 000010
【図１０】
0003784589.tif 000011
【図１１】
0003784589.tif 000012
【図１２】
0003784589.tif 000013